(57)【要約】【課題】ベーンの先端部とピストンの外周面の間に発生する摺動損失を低減し、入力ロスが小さいロータリ圧縮機を提供すること。【解決手段】シリンダーと、シリンダーの両端面に締結されてシリンダー室を形成する上軸受け及び下軸受けと、上軸受けと下軸受けとの間に偏心部を設けたシャフト４と、シャフト４の偏心部に嵌合されるピストン９と、ピストン９の外周面に当接してシリンダー室内を吸入室と圧縮室に仕切るベーン１１と、シリンダーに形成され、ベーン１１が往復運動するベーン溝１０を有して構成されるロータリ圧縮機において、ベーン１１の先端部の円弧の中心をベーン１１の厚み方向中心線より吸入室側へオフセットすることにより、ベーン１１に付勢される押付力を小さくして、ベーン１１の先端部とピストン９の外周面の接触面における潤滑状態を良化することができ、摺動損失を低減する。【選択図】図３
2011231663.tif 000002
【特許請求の範囲】
【請求項１】
密閉容器内に電動機部と圧縮機構部を収納し、該圧縮機構部はシリンダーと、該シリンダーの両端面に締結されてシリンダー室を形成する上軸受け及び下軸受けと、前記上軸受けと下軸受けとの間に偏心部を設けたシャフトと、前記シャフトの偏心部に嵌合されるピストンと、該ピストンの外周面に当接して前記シリンダー室内を吸入室と圧縮室に仕切るベーンと、前記シリンダーに形成され、前記ベーンが往復運動するベーン溝を有して構成されるロータリ圧縮機において、前記ベーンの先端部の円弧の中心を前記ベーンの厚み方向中心線より吸入室側へオフセットしたことを特徴とするロータリ圧縮機。
【請求項２】
オフセット寸法αは、前記ベーンの厚みをＴ、先端部の吸入室側円弧半径をＲｖ１、前記ピストンの外周面半径をＲｐ、前記シャフトの偏心部の偏心量をＥ、前記ベーンの先端部と前記ピストンの外周面の最大接触面長さをｄとした場合に、式（１）を満足すると共に、前記ベーンの高さをＬ、前記ベーンの縦弾性係数とポアソン比をそれぞれＥ１、ν１、前記ピストンの縦弾性係数とポアソン比をそれぞれＥ２、ν２、設計吐出圧力と設計吸入圧力の差圧によって前記ベーンに付勢される押付力をＦとした場合に、前記ベーンの先端部と前記ピストンの外周面の最大接触面長さｄが式（２）で表される関係にあることを特徴とする請求項１に記載のロータリ圧縮機。
【数１】
2011231663.tif 000010
【数２】
2011231663.tif 000011
【請求項３】
前記ベーンの先端部の圧縮室側円弧半径を、吸入室側円弧半径より大きくしたことを特徴とする請求項１または請求項２に記載の回転式圧縮機。
【請求項４】
前記ベーンの吸入室側背面に小さなくぼみを設けたことを特徴とする請求項１から３のいずれか１項に記載のロータリ圧縮機。
【請求項５】
作動冷媒として、ＣＯ２を用いたことを特徴とする請求項１から４のいずれか１項に記載のロータリ圧縮機。
【請求項６】
作動冷媒として、炭素と炭素間に２重結合を有するハイドロフルオロオレフィンをベース成分とした冷媒からなる単一冷媒または前記冷媒を含む混合冷媒を用いたことを特徴とする請求項１から４のいずれか１項に記載のロータリ圧縮機。
【発明の詳細な説明】
【技術分野】
【０００１】
本発明は、冷蔵庫、空気調和装置に組み込まれることが可能なロータリ圧縮機に関するものである。
【背景技術】
【０００２】
従来のこの種ロータリ圧縮機は特許文献１に示すようなものが知られている。図５及び図６はこの特許文献１のロータリ圧縮機を示し、密閉容器１内には電動機部と、電動機部によって駆動される圧縮機構部が収納されている。前記圧縮機構部は、シリンダー５と、シリンダー５の両端面に締結されてシリンダー室６を形成する上軸受け７及び下軸受け８と、上軸受け７と下軸受け８との間に偏心部を設けたシャフト４と、シャフト４の偏心部に嵌合されるピストン９と、シリンダー５の半径方向に形成されるベーン溝１０内を往復運動するベーン１１とで構成され、ベーン１１の先端部をピストン９の外周面に当接させて、シリンダー室６内に、ベーン１１によって仕切られた吸入室１２と圧縮室１３を形成するようにしている。
【０００３】
そして、上記シャフト４の回転に伴うピストン９の公転運動とベーン１１の往復運動によって吸入室１２と圧縮室１３の容積が変化し、この容積変化により、吸入ポート１７から吸入室１２に吸入された作動冷媒が圧縮されて高温高圧となり、圧縮室１３より吐出ポート１８、上軸受け７とバルブカバー１９によって囲まれる吐出マフラー室２０を経て、密閉容器１内に吐出される。ロータリ圧縮機から吐出された作動冷媒は冷凍サイクル内の放熱器で放熱した後、膨張弁で絞られて蒸発器で吸熱し再びロータリ圧縮機に吸入されるサイクルを繰り返す。
【０００４】
この従来のロータリ圧縮機ではベーン１１の径方向外方にはベーンバネ１４が配置され、ベーンバネ１４を収納するベーンバネ孔１５は密閉容器１内と連通しているので、図７に示すように、ベーン１１の背面には密閉容器１内の吐出圧力Ｐｄが、また、ベーン１１の先端部にはピストン９の外周面との接触面２０１を境に、吸入室１２側圧力Ｐｓと圧縮室１３側圧力Ｐｃが作用している。すなわち、ベーン１１の背面と先端部との差圧によってベーン１１に作用する押付力により、ベーン１１の先端部をピストン９の外周面に当接するように構成している。従って、ベーン１１の先端部は、シャフト４の回転に伴ってシャフト４の偏心部回りを自転するピストン９の外周面と接触面２０１でこすれあい、潤滑油が介在せずに金属接触して摺動するので潤滑状態が厳しく、比較的大きな摺動損失が発生する。このため、ピストン９の材料に焼入れを施したものを、ベーン１１の先端部を研磨、表面処理したものを使用することにより、摺動性を向上させて摺動損失の低減を図っていた。
【先行技術文献】
【特許文献】
【０００５】
【特許文献１】特開昭６４−８０７８８号公報
【発明の概要】
【発明が解決しようとする課題】
【０００６】
しかしながら、この従来技術では、作動冷媒として、ＣＯ２を用いた場合、吐出圧力と吸入圧力との圧力差が高くなるためその高い差圧によって、ベーン１１の背面と先端部に高い差圧が生じ、ベーン１１に付勢される押付力が大きくなる。このため、特にベーン１１の先端部とピストン９の外周面との接触面において潤滑状態は厳しく、大きな摺動損失が生じるとともに信頼性が低下する問題があった。特に、作動冷媒として、地球温暖化係
数の小さな冷媒、すなわち、炭素間に２重結合を有するハイドロフルオロオレフィンをベース成分とした冷媒からなる単一冷媒またはこの冷媒を含む混合冷媒を用いた場合には、ベーン１１の先端部とピストン９の外周面が接触する部分で局部的に高温となり、化学的安定性が低下することに伴って潤滑性が悪化する。このため、特にベーン１１の先端部とピストン９の外周面の接触面において潤滑状態の悪化が激しく、大きな摺動損失が生じるとともに信頼性が低下する問題があった。
【０００７】
本発明は前記従来の課題を解決するもので、ベーンに付勢される押付力を小さくして、ベーンの先端部とピストンの外周面の接触面における潤滑状態を良化することにより、ベーンの先端部とピストンの外周面の間に発生する摺動損失を低減し、入力ロスの小さいロータリ圧縮機を提供することを目的とする。
【課題を解決するための手段】
【０００８】
前記従来技術の課題を解決するために、本発明のロータリ圧縮機は、密閉容器内に電動機部と圧縮機構部を収納し、圧縮機構部はシリンダーと、シリンダーの両端面に締結されてシリンダー室を形成する上軸受け及び下軸受けと、上軸受けと下軸受けとの間に偏心部を設けたシャフトと、シャフトの偏心部に嵌合されるピストンと、ピストンの外周面に当接してシリンダー室内を吸入室と圧縮室に仕切るベーンと、シリンダーに形成され、ベーンが往復運動するベーン溝を有して構成されており、ベーンの先端部の円弧の中心をベーンの厚み方向中心線より吸入室側へオフセットしたことを特徴としたものである。
【発明の効果】
【０００９】
上記によれば、ベーンの先端部においてピストンの外周面との接触面を吸入室側に移動させることにより、吸入室側圧力Ｐｓが作用する面積を減少させ、圧縮室側圧力Ｐｃが作用する面積を増加させることができるので、ベーンの背面と先端部の差圧によって発生する力を低減することが可能となる。すなわち、ベーンに付勢される押付力を小さくして、ベーンの先端部とピストンの外周面の接触面における潤滑状態を良化することにより、ベーンの先端部とピストンの外周面の間に発生する摺動損失を低減し、入力ロスの小さいロータリ圧縮機を提供することが可能となる。
【図面の簡単な説明】
【００１０】
【図１】本発明の実施の形態１におけるロータリ圧縮機の縦断面図
【図２】同ロータリ圧縮機の圧縮機構部を示す横断面図
【図３】同ロータリ圧縮機のベーン、ピストン、シャフトの寸法関係を示す拡大断面図
【図４】同ロータリ圧縮機のベーンを作用を説明するための拡大断面図
【図５】従来のロータリ圧縮機を示す縦断面図
【図６】同ロータリ圧縮機の圧縮機構部を示す横断面図
【図７】同ロータリ圧縮機のベーンとピストンの接触状態を説明するための模式図
【発明を実施するための形態】
【００１１】
第１の発明は、密閉容器内に電動機部と圧縮機構部を収納し、圧縮機構部はシリンダーと、シリンダーの両端面に締結されてシリンダー室を形成する上軸受け及び下軸受けと、上軸受けと下軸受けとの間に偏心部を設けたシャフトと、シャフトの偏心部に嵌合されるピストンと、ピストンの外周面に当接してシリンダー室内を吸入室と圧縮室に仕切るベーンと、シリンダーに形成され、ベーンが往復運動するベーン溝を有して構成されるロータリ圧縮機において、ベーンの先端部の円弧の中心をベーンの厚み方向中心線より吸入室側へオフセットしたものである。従って、ベーンの先端部においてピストンの外周面との接触面を吸入室側に移動させることにより、吸入室側圧力Ｐｓが作用する面積を減少させ、圧縮室側圧力Ｐｃが作用する面積を増加させることができるので、ベーンの背面と先端部
の差圧によってベーンに付勢される押付力を小さくして、ベーンの先端部とピストンの外周面の接触面における潤滑状態を良化することができる。
【００１２】
第２の発明は、特に第１の発明のロータリ圧縮機において、オフセット寸法αは、ベーンの厚みをＴ、先端部の吸入室側円弧半径をＲｖ１、ピストンの外周面半径をＲｐ、シャフトの偏心部の偏心量をＥ、ベーンの先端部とピストンの外周面の最大接触面長さをｄとした場合に、式（１）を満足すると共に、ベーンの高さをＬ、ベーンの縦弾性係数とポアソン比をそれぞれＥ１、ν１、ピストンの縦弾性係数とポアソン比をそれぞれＥ２、ν２、設計吐出圧力と設計吸入圧力の差圧によってベーンに付勢される押付力をＦとした場合に、ベーンの先端部とピストンの外周面の最大接触面長さｄが式（２）で表される関係にあるように設定したものである。
【００１３】
【数１】
2011231663.tif 000003
【００１４】
【数２】
2011231663.tif 000004
【００１５】
これにより、ベーンの先端部とピストンの外周面の接触部における摺動面を安全に確保でき、第１の発明の効果を得ることができる。
【００１６】
第３の発明は、特に第１または第２の発明のロータリ圧縮機において、ベーンの先端部の圧縮室側円弧半径を、吸入室側円弧半径より大きくしたものである。これにより、ベーンの先端部とピストンの外周面の接触面がベーンの先端部の圧縮室側円弧上に移動した際、ベーンの先端部とピストンの外周面の接触面長さを大きくすることができるので、シール性を向上させ、圧縮室から吸入室への作動冷媒の漏れを小さくすることが可能となる。従って、体積効率を低下させることなく、第１または第２の発明の効果を得ることができる。
【００１７】
第４の発明は、特に第１から第３のいずれか１つの発明のロータリ圧縮機において、ベーンの吸入室側背面に小さなくぼみを設けたものである。これにより、ベーンをシリンダーに形成されるベーン溝に組み付ける際に、小さなくぼみを目印にすることができるので、ベーンの厚み方向について、組み付け間違いを防止でき、作業性は向上する。
【００１８】
第５の発明は、特に第１から第４のいずれか１つの発明のロータリ圧縮機において、作動冷媒として、ＣＯ２を用いた場合に、吐出圧力と吸入圧力の高い差圧によって、ベーンの背面と先端部に高い差圧が生じるので、より効果的にベーンに付勢される押付力を小さくすることができる。
【００１９】
第６の発明は、特に第１から第４のいずれか１つの発明の回転式圧縮機において、作動冷媒として、炭素と炭素間に２重結合を有するハイドロフルオロオレフィンをベース成分とした冷媒からなる単一冷媒またはこの冷媒を含む混合冷媒を用いた場合に、ベーンの先端部とピストンの外周面が接触する部分で局部的に高温となり、化学的安定性が低下することに伴って潤滑性が悪化するので、ベーンに付勢される押付力を小さくして、ベーンの
先端部とピストンの外周面の接触面における潤滑状態を良化することにより、より効果的にベーンの先端部とピストンの外周面の間に発生する摺動損失を低減することができる。
【００２０】
以下、本発明の実施形態について図面に従って説明する。なお、この実施の形態によって本発明が限定されるものではない。
【００２１】
（実施の形態１）
図１は実施の形態１におけるロータリ圧縮機の縦断面図、図２は同圧縮機の圧縮機構部の横断面図を示している。なお、この実施の形態では一つの圧縮機構部を備えた単段圧縮ロータリ圧縮機を示している。
【００２２】
図１に示したロータリ圧縮機は作動冷媒として、ＣＯ２を使用し、円筒状の密閉容器１と、密閉容器１の内部上側に配置された電動機部１０２、及び電動機部１０２の下側に配置され、電動機部１０２によって駆動される圧縮機構部１０１によって構成されている。
【００２３】
電動機部１０２は、密閉容器１の内部上側の内周面に沿って環状に取り付けられたステータ２と、ステータ２の内側に若干の隙間を設けて挿入されるロータ３からなっており、ロータ３は中心部で鉛直方向にシャフト４に固定されている。
【００２４】
圧縮機構部１０１は、図１及び図２に示すように、シリンダー５と、このシリンダー５の両端面に締結されてシリンダー室６を形成する主軸受け７及び副軸受け８と、この主軸受け７と副軸受け８との間に偏心部を設けたシャフト４と、シャフト４の偏心部に嵌合されるピストン９と、シリンダー５の半径方向に形成されているベーン溝１０及びこのベーン溝１０内を往復運動するベーン１１を有している。そして、ベーン１１の背面と先端部の差圧によってベーン１１に付勢される押付力により、ベーン１１の先端部をピストン９の外周面に当接させて、シリンダー室６内に、ベーン１１によって仕切られた吸入室１２と圧縮室１３を形成する。また、ベーン１１の径方向外方にはベーンバネ１４が配置され、ベーンバネ１４を収納するベーンバネ孔１５は密閉容器１内と連通しているので、ベーン１１の背面には密閉容器１内の吐出圧力Ｐｄが作用する。
【００２５】
図３に示すように、ベーン１１の先端部の円弧の中心はベーン１１の厚み方向中心線より吸入室１２側へオフセットαし、圧縮室１３側円弧半径を吸入室１２側円弧半径より大きく構成している。オフセット寸法αは、ベーンの厚みをＴ、先端部の吸入室側円弧半径をＲｖ１、ピストンの外周面半径をＲｐ、シャフトの偏心部の偏心量をＥ、ベーンの先端部とピストンの外周面との最大接触面長さをｄとした場合に、式（３）を満足するように設定している。
【００２６】
【数３】
2011231663.tif 000005
【００２７】
ここで、ベーンの先端部とピストンの外周面との最大接触面長さｄは、ベーン１１の先端部とピストン９の外周面の接触状態を異なる半径をもつ円筒同士の接触問題に置き換えることによりヘルツの弾性接触理論から求めることができるので、ベーンの高さをＬ、ベーンの縦弾性係数とポアソン比をそれぞれＥ１、ν１、ピストンの縦弾性係数とポアソン比をそれぞれＥ２、ν２、設計吐出圧力と設計吸入圧力の差圧によってベーンに付勢される押付力をＦとした場合に式（４）で表される。
【００２８】
【数４】
2011231663.tif 000006
【００２９】
次に、上述のように構成されたロータリ圧縮機の動作について説明する。電動機部１０２が起動するとロータ３が回転し、ロータ３を固定したシャフト４の回転と共に、シャフト４の偏心部に嵌合されたピストン９がシリンダー室６内を公転運動し、ベーン１１が往復運動することにより、ベーン１１によって仕切られた吸入室１２と圧縮室１３の容積が変化する。この容積変化により、吸入ポート１７から吸入室１２に吸入された作動冷媒が圧縮されて高温高圧となり、圧縮室１３より吐出ポート１８、上軸受け６とバルブカバー１９によって囲まれる吐出マフラー室２０を経て、密閉容器１内に吐出される。
【００３０】
上述した実施の形態１では、図３に示すように、ベーン１１の先端部の円弧の中心をベーン１１の厚み方向中心線より吸入室１２側へ寸法αだけオフセットしており、ベーン１１の先端部においてピストン９の外周面の接触面を吸入室１２側に移動させることにより、吸入室１２側圧力Ｐｓが作用する面積を減少させ、圧縮室１３側圧力Ｐｃが作用する面積を増加させることができるので、ベーン１１の背面と先端部の差圧によってベーン１１に付勢される押付力を小さくして、ベーン１１の先端部とピストン９の外周面の接触面における潤滑状態を良化することができる。
【００３１】
また、オフセット寸法αは、式（３）を満足するように設定しているので、ベーン１１の先端部とピストン９の外周面の接触部における摺動面を安全に確保できる。つまり、ベーン１１の先端部とピストン９の外周面の接触面中心が吸入室１２側を移動する摺動長さの投影距離Ｘは式（５）で表され、摺動長さの投影距離Ｘとオフセット寸法αとベーン１１の先端部とピストン９の外周面との最大接触面長さｄの半分を足し合わせたものがベーン１１の厚みの半分より小さければよい（式（６））。従って、式（５）、（６）を変形することにより、式（１）が得られる。
【００３２】
【数５】
2011231663.tif 000007
【００３３】
【数６】
2011231663.tif 000008
【００３４】
更に、ベーン１１の先端部の圧縮室１３側円弧半径Ｒｖ２を吸入室１２側円弧半径Ｒｖ１より大きく構成しており、ベーン１１の先端部とピストン９の外周面の接触面がベーン１１の先端部の圧縮室１３側円弧上に移動した際に、ベーン１１の先端部とピストン９の外周面の接触面長さを大きくすることができるので、シール性を向上させ、圧縮室１３から吸入室１２への作動冷媒の漏れを小さくすることが可能となり、体積効率を低下させることがない。すなわち、図４に示すように、ベーン１１の先端部とピストン９の外周面の接触面がベーン１１の先端部の圧縮室１３側円弧上に移動した際に、圧縮室１３側圧力Ｐｃはほぼ密閉容器１の吐出圧力Ｐｄと同じであり、吸入室１２側圧力Ｐｓとの差圧が大きくなるので、高圧の圧縮室１３から低圧の吸入室１２への作動冷媒の漏れを小さくするために、ベーン１１の先端部とピストン９の外周面の接触面長さを大きくする。
【００３５】
つまり、ベーン１１の先端部とピストン９の外周面の接触面長さｄ１は式（７）で与えられるので、ベーン１１の先端部の圧縮室１３側円弧半径Ｒｖ２を吸入室１２側円弧半径Ｒｖ１より大きくすることにより、ベーン１１の先端部とピストン９の外周面の接触面がベーン１１の先端部の圧縮室１３側円弧上に移動した際に、ベーン１１の先端部とピストン９の外周面の接触面長さを従来技術より大きくすることができる。
【００３６】
【数７】
2011231663.tif 000009
【００３７】
ここで、Ｒｖはベーン１１の先端部の円弧半径、Ｒｐはピストン９の外周面半径、Ｌはベーン１１の高さ、Ｅ１、ν１はそれぞれベーン１１の縦弾性係数とポアソン比、Ｅ２、ν２はそれぞれピストン９の縦弾性係数とポアソン比、Ｆ１はベーン１１の先端部とピストン９の外周面の接触面に対し、法線方向に作用する押付力を表す。
【００３８】
そして、ベーン１１の吸入室１２側背面に小さなくぼみを設けているので、ベーン１１をシリンダー５に形成されるベーン溝１０に組み付ける際に、小さなくぼみを目印にすることができるので、ベーン１１の厚み方向について、組み付け間違いを防止でき、作業性は向上する。
【００３９】
以上の構成により、ベーンに付勢される押付力を小さくすることができるので、ベーンの先端部とピストンの外周面の接触面における潤滑状態を良化することができ、ベーンの先端部とピストンの外周面の間に発生する摺動損失を低減し、入力ロスの小さいロータリ圧縮機を提供することが可能となる。
【００４０】
また、本実施の形態のロータリ圧縮機において、作動冷媒として、炭素と炭素間に２重結合を有するハイドロフルオロオレフィンをベース成分とした冷媒からなる単一冷媒またはこの冷媒を含む混合冷媒を用いた場合には、ベーンの先端部とピストンの外周面が接触する部分で局部的に高温となり、化学的安定性が低下することに伴って潤滑性が悪化するので、ベーンに付勢される押付力を小さくして、ベーンの先端部とピストンの外周面の接触面における潤滑状態を良化することにより、より効果的にベーンの先端部とピストンの外周面の間に発生する摺動損失を低減することができる。
【００４１】
上記炭素と炭素間に２重結合を有するハイドロフルオロオレフィンをベース成分とした冷媒からなる単一冷媒またはこの冷媒を含む混合冷媒としては、例えばハイドロフルオロオレフィンをテトラフルオロプロペン（ＨＦＯ１２３４ｙｆまたはＨＦＯ１２３４ｚｅ）とし、ハイドロフルオロカーボンをジフルオロメタン（ＨＦＣ３２）とした、混合冷媒を作動冷媒とすることが考えられる。
【００４２】
また、ハイドロフルオロオレフィンをテトラフルオロプロペン（ＨＦＯ１２３４ｙｆ）とし、ハイドロフルオロカーボンをペンタフルオロエタン（ＨＦＣ１２５）とした、混合冷媒を作動冷媒としてもよい。
【００４３】
また、ハイドロフルオロオレフィンをテトラフルオロプロペン（ＨＦＯ１２３４ｙｆ）とし、ハイドロフルオロカーボンをペンタフルオロエタン（ＨＦＣ１２５）、ジフルオロメタン（ＨＦＣ３２）とした、３成分からなる混合冷媒を作動冷媒としてもよい。
そして、上記いずれの場合も地球温暖化係数が５以上、７５０以下となるように、望まし
くは３５０以下となるようにそれぞれ２成分混合もしくは３成分混合したものが好ましい。
【００４４】
また、上記作動冷媒に用いる冷凍機油としては、ポリオキシアルキレングリコール類、ポリビニルエーテル類、ポリ（オキシ）アルキレングリコールまたはそのモノエーテルとポリビニルエーテルの共重合体、ポリオールエステル類およびポリカーボネート類の含酸素化合物を主成分とする合成油か、アルキルベンゼン類やαオレフィン類を主成分とする合成油が好ましい。
【産業上の利用可能性】
【００４５】
以上のように、本発明にかかるロータリ圧縮機は、入力ロスを小さくすることができるため、給湯器用圧縮機、空気圧縮の用途にも適用できる。
【符号の説明】
【００４６】
１  密閉容器
２  ステータ
３  ロータ
４  シャフト
５  シリンダー
６  シリンダー室
７  上軸受け
８  下軸受け
９  ピストン
１０  ベーン溝
１１  ベーン
１２  吸入室
１３  圧縮室
１４  ベーンバネ
１５  ベーンバネ孔
１７  吸入ポート
１８  吐出ポート
１９  バルブカバー
２０  吐出マフラー室
１０１  圧縮機構部
１０２  電動機部
２０１  接触面
【図１】
2011231663.tif 000012
【図２】
2011231663.tif 000013
【図３】
2011231663.tif 000014
【図４】
2011231663.tif 000015
【図５】
2011231663.tif 000016
【図６】
2011231663.tif 000017
【図７】
2011231663.tif 000018